(57)【要約】【課題】必要な部位に必要な強度を効率的に確保しつつ、薄肉厚化および軽量化を図ることができるフード部を有するリール脚固定装置およびその製造方法を提供する。【解決手段】本発明に係るリール脚固定装置のフード部１５Ａは、そのほぼ全長にわたって少なくとも軸方向に指向する強化繊維３０Ａが途切れることなく連続して延びるとともに、軸方向に指向する強化繊維３０Ａが軸方向に対して傾く領域４０を膨出部１５ａに有する。【選択図】図６
2015188443.tif 000002
【特許請求の範囲】
【請求項１】
複数のプリプレグシートを積層して成形されるとともに魚釣用リールのリール脚を収容できる開口を形成するように膨出する膨出部を有する筒状のフード部を操作ナットによって軸方向に移動させるリール脚固定装置において、
前記フード部は、そのほぼ全長にわたって少なくとも軸方向に指向する強化繊維が途切れることなく連続して延びるとともに、前記軸方向に指向する強化繊維が軸方向に対して傾く領域を前記膨出部に有することを特徴とするリール脚固定装置。
【請求項２】
前記軸方向に指向する強化繊維は、前記フード部の左右両側で対称的にその軸方向に対して傾くことを特徴とする請求項１に記載のリール脚固定装置。
【請求項３】
前記領域が前記フード部の前記開口付近に設けられることを特徴とする請求項１または請求項２に記載のリール脚固定装置。
【請求項４】
前記軸方向に指向する強化繊維を伴う軸方向繊維層が前記フード部の外層側に配設されることを特徴とする請求項１ないし請求項３のいずれか１項に記載のリール脚固定装置。
【請求項５】
前記領域での前記強化繊維の軸方向に対する傾き角度が５°以上であることを特徴とする請求項１ないし請求項４のいずれか１項に記載のリール脚固定装置。
【請求項６】
複数のプリプレグシートを積層して成形されるとともに魚釣用リールのリール脚が挿入される開口を有する筒状のフード部を操作ナットによって軸方向に移動させるリール脚固定装置の前記フード部を製造するための製造方法であって、
軸方向に指向する強化繊維が左右対称に配設されたプリプレグシートを設けるステップと、
円柱部と、前記円柱部の端部の周方向の一部を前方に向けて次第に上昇するように傾斜させた膨出部とを、前記フード部の形状に対応して有するマンドレルを設けるステップと、
前記プリプレグシートの左右対称軸線上に前記マンドレルを位置させて前記プリプレグシートを左右両側から前記マンドレルの外周に巻き付けることにより、前記マンドレルの前記膨出部で、前記軸方向に指向する強化繊維が軸方向に対して傾く領域を左右対称に形成するステップと、
を含むことを特徴とする製造方法。
【発明の詳細な説明】
【技術分野】
【０００１】
本発明は、釣竿に装着され、各種の魚釣用リールを取り付け可能とするリール脚固定装置およびその製造方法に関する。
【背景技術】
【０００２】
従来、例えば、特許文献１に開示されているように、軸長方向に離間する移動フードと固定フードを備え、リール脚の一端を固定フードに差し込み、リール脚の他端を軸方向に移動する移動フードで押え付けることで、魚釣用リールを固定するタイプのリール脚固定装置が知られている。前記固定フード、及び移動フードは、元竿杆の外周に被着されるパイプ状のリールシートに配設されており、移動フードに隣接配置された操作ナットを回転することで移動フードを固定フードに対して接近／離反させ、これにより魚釣用リールの着脱がなされる。通常、上記したリール脚固定装置の移動フード及び固定フード（以下、フード部とも称する）は金属材料で形成されることが多く、差し込まれるリール脚が当接する部分（フード部の内面）に合成樹脂によるパッド部を配設するようにしている。
【０００３】
ところで、最近では、釣竿の軽量化を図ることが求められており、上記したようにフード部を金属材料で形成することは、軽量化の妨げとなってしまう。このため、例えば、特許文献２には、強化繊維に合成樹脂を含浸したプリプレグシートを複数層重ね合わせ、これを筒状に成形することでフード部を形成することが開示されている。また、この特許文献２には、フード部を複数のプリプレグシートを積層して成形するにあたり、強度低下が生じないように、各層におけるプリプレグシートの重ね合わせ部をリール脚の脚保持部以外の領域に位置させることが開示されている。
【先行技術文献】
【特許文献】
【０００４】
【特許文献１】実開昭５７−１８７０６４号
【特許文献２】特開２０１４−１１９７５号
【発明の概要】
【発明が解決しようとする課題】
【０００５】
上記したフード部は、繊維強化樹脂材で形成することにより軽量化を図ることができるが、釣竿を軽量化するためには、可能な限り薄肉厚化して軽量化を図ることが望ましい。すなわち、フード部を薄肉厚化することで、その分、リール脚固定装置を軽量化することができるとともに、固定されるリール脚やリールシート本体との間での段差が少なくなって握り心地の向上を図ることも可能となる。
【０００６】
上記した特許文献２には、フード部の軽量化を図るにあたり、仕様が異なる複数枚のプリプレグシートを、重ね合せ部分の位置を脚保持部からずらすことが開示されているに過ぎず、フード部の強度の維持を図りつつ可能な限り薄肉厚化して軽量化を図ることについて考慮されていない。特に、リール脚の端部が差し込まれるフード部の開口付近では、ねじれに対する補強が必要であるが、薄肉厚化しつつそのような補強を効率良く行なうことについて特許文献２は何ら考慮していない。このため、無駄なプリプレグシートを配設する等、不必要な補強がされており、これによりフード部が厚肉化して十分な軽量化が達成されない、という問題がある。
【０００７】
また、特許文献２には、プリプレグシートをマンドレルに巻回するに際し、所定の位置に切欠きを形成しておき、皺の発生を防止することも開示されているが、プリプレグシートに切り込みを入れておくと、その位置では強化繊維が切れた状態となり、強度低下や破損等が生じる原因となってしまう。
【０００８】
本発明は、上記した問題に着目してなされたものであり、必要な部位に必要な強度を効率的に確保しつつ、薄肉厚化および軽量化を図ることができるフード部を有するリール脚固定装置およびその製造方法を提供することを目的とする。
【課題を解決するための手段】
【０００９】
上記した目的を達成するために、本発明は、複数のプリプレグシートを積層して成形されるとともに魚釣用リールのリール脚を収容できる開口を形成するように膨出する膨出部を有する筒状のフード部を操作ナットによって軸方向に移動させるリール脚固定装置において、前記フード部は、そのほぼ全長にわたって少なくとも軸方向に指向する強化繊維が途切れることなく連続して延びるとともに、前記軸方向に指向する強化繊維が軸方向に対して傾く領域を前記膨出部に有することを特徴とする。
【００１０】
上記した構成のリール脚固定装置によれば、複数のプリプレグシートを積層して筒状のフード部を成形するため、軽量化が図れるようになる。また、フード部は、そのほぼ全長にわたって少なくとも軸方向に指向する強化繊維が途切れることなく連続して延びるため、強度低下や破損等が生じることを回避できる。更に、フード部は、軸方向に指向する強化繊維が軸方向に対して傾く領域を前記膨出部に有するため、この領域では、繊維の傾きに起因して捩じれ方向に対して高い強度を確保できる。
【００１１】
なお、前記領域は、フード部の膨出部の任意の部位に連続的（例えば、フード部の開口まで連続的に）に或いは断続的に設けることもできるが、ねじれ方向の強度を効果的に且つ効率的に確保するために、前記領域は、特にフード部の外層側で、フード部の左右両側に対称的に設けられることが好ましい。特に、大きなねじれが発生しやすいフード部の開口付近に前記領域を設けると、この部分でねじれを確実且つ効果的に抑制できる。
【００１２】
このように、連続する軸長方向繊維を必要な部位で傾けてねじれ強度を確保できれば、フード部全体として無駄なプリプレグシートを配設することなく効率的な補強を実現でき、結果として、フード部全体の薄肉厚化及び軽量化が可能となる。
なお、本発明は、以上のような特徴を有するフード部を製造するための方法も提供する。
【発明の効果】
【００１３】
本発明によれば、必要な部位に必要な強度を効率的に確保しつつ、薄肉厚化および軽量化を図ることができるフード部を有するリール脚固定装置が得られるようになる。
【図面の簡単な説明】
【００１４】
【図１】リール脚固定装置が装着された釣竿の一例を示す図。
【図２】本発明に係るリール脚固定装置の一実施形態を示す側面図。
【図３】図２に示すリール脚固定装置において、移動フード部の構成を示す部分断面図。
【図４】（ａ）は図３の主要部の拡大図、（ｂ）は図（ａ）に示す移動フード部を開口側から見た図。
【図５】（ａ）は、移動フード成形するためにプリプレグシートが巻回されるマンドレルの側面図、（ｂ）は、移動フード部を成形するための軸方向に指向する強化繊維を有するプリプレグシートの平面図。
【図６】（ａ）は、筒状に巻回されてフード部を構成した図５（ｂ）のプリプレグシートの側面図、（ｂ）は、（ａ）のプリプレグシートの平面図。
【図７】移動フード成形するための変形例に係るプリプレグシートをマンドレルに巻き付けてフード部を製造する製造方法の簡略化された一例を示す斜視図。
【図８】（ａ）は、移動フード部を成形するための軸方向に指向する強化繊維を有する変形例に係る図７のプリプレグシートの平面図、（ｂ）は軸方向に対して斜めに指向された強化繊維が引き揃えられた織布状の補強用プリプレグシートの平面図。
【発明を実施するための形態】
【００１５】
図１は、本発明に係るリール脚固定装置が装着される釣竿の一例を示す図である。
釣竿１は、複数の竿杆を継合することで構成されており、本実施形態では、元竿杆３、中竿杆５、及び穂先竿杆７の３本の竿杆を並継式で継合している。中竿杆５については無い構成であっても良いし、２本以上継合する構成であっても良い。また、釣竿は、並継式以外にも、１本竿、振り出し竿、中通し式など、その構成については特に限定されることはない。
【００１６】
元竿杆３には、魚釣用リール７０が装着されるリール脚固定装置１０が設けられ、各竿杆には、所定間隔をおいて、魚釣用リールから繰り出される釣糸を案内する複数の釣糸ガイド８（穂先竿杆７の先端はトップガイド８ａ）が装着されている。釣糸ガイド８については、竿杆に対して固定される固定ガイドとして構成されていても良いし、竿杆に沿って摺動可能な遊動ガイドとして構成されていても良い。
【００１７】
元竿杆３、中竿杆５及び穂先竿杆７は、強化繊維（主に炭素繊維やガラス繊維等）に、エポキシ樹脂等の合成樹脂を含浸した繊維強化樹脂材で構成されており、管状体、或いは、中実体として構成されている。
【００１８】
元竿杆３に設けられるリール脚固定装置１０は、固定フードと軸方向に移動する移動フードとを備えており、魚釣用リールのリール脚を固定フードに差し込んだ状態で、移動フードを軸方向に移動させることにより魚釣用リールを着脱する構成となっている。この場合、固定フードは、穂先側にあっても良いし、基端側にあっても良い。
【００１９】
以下、図２〜図４を参照して、本実施形態のリール脚固定装置の構成について具体的に説明する。
リール脚固定装置１０は、元竿杆３に対して外嵌される筒状に形成されたリールシート本体（以下、本体と称する）１１を備えている。本体１１は、例えば、合成樹脂によって一体形成されており、魚釣用リール７０のリール脚７１が載置される載置面１２と、載置面１２の穂先側に配設された固定フード１３と、載置面１２の基端側に配設された移動フード１５とを備えている。
【００２０】
固定フード１３は、本体１１に一体形成され、リール脚７１の穂先側脚部７１ａを収容できるように膨出したフード部１３Ａを備えており、リール脚７１の穂先側脚部７１ａは、フード部１３Ａの開口１３ａを介して挿入される。なお、フード部１３Ａは、後述する移動フードのフード部と同様、本体１１と別体として形成され、本体１１と一体化される構成であっても良い。
【００２１】
移動フード１５は、軸方向に沿って移動可能に構成され、本体１１と別体として形成されたフード部１５Ａを備えている。本実施形態のフード部１５Ａは、リール脚７１の基端側脚部７１ｂを収容できるように膨出した膨出部１５ａと、膨出部１５ａの基端側に一体形成された円筒部１５ｂとを備えている。すなわち、膨出部１５ａは、円筒部１５ｂの外周の所定範囲の円弧領域が穂先側に移行するに連れて次第に上昇する形状となっており、リール脚７１の基端側脚部７１ｂは、そのような膨出部１５ａの開口１５ｃを介して挿入される。
【００２２】
膨出部１５ａの内側には、挿入されるリール脚７１の基端側脚部７１ｂの表面と圧接するようにパッド部材１６が配設されている。このパッド部材１６は、移動フード１５が固定フード側に向けて移動された際、リール脚７１の基端側脚部７１ｂの表面に押し付けられる部分であり、リール脚７１を強固に固定する機能を有する。すなわち、パッド部材１６は、リール脚７１の基端側脚部７１ｂの表面と対応する形状に形成されており、突起１６ａを移動フード１５の膨出部１５ａに形成された孔１５ｄに嵌合することで膨出部１５ａの内面と一体化される。
【００２３】
本体１１の基端側には、雄螺子部１１ａが一体形成されており、この雄螺子部１１ａには、回転操作することで軸方向に沿って移動する操作ナット１８が螺合されている。操作ナット１８は、その前端部が移動フード１５のフード部１５Ａ（円筒部１５ｂ）と係合している。なお、ここでの係合関係は、操作ナット１８を締め付ける方向に回転操作した際、移動フード１５を回転させることなく固定フード側に移動させ、かつ、操作ナット１８を緩める方向に回転操作した際、移動フード１５を回転させることなく、固定フードから離れる方向に移動させるものであれば良い。
【００２４】
具体的には、図４（ａ）に示すように、操作ナット１８の円筒部１５ｂ側の端縁１８ｅに環状突起１８ａを形成し、この先端に径方向外方に突出する係止突起１８ｆを形成するとともに、円筒部１５ｂの操作ナット１８側の端縁１５ｅに、径方向内方に突出する係止突起１５ｆを形成し、これら係止突起１８ｆと係止突起１５ｆを係止することで構成されている。
【００２５】
このような操作部材１８とフード部１５Ａ（円筒部１５ｂ）の係合関係によれば、操作ナット１８を締め付ける方向に回転操作すると、操作ナット１８は固定フード側に向けて螺進するとともに、フード部１５Ａ（円筒部１５ｂ）は回転することなく、端縁１８ｅと端縁１５ｅとの当接関係によって固定フード側に向けて移動される。すなわち、載置面１２に載置されたリール脚７１は、一対のフード部（固定フード１３Ａ、移動フード１５Ａ）によって締め付け固定される。また、操作ナット１８を緩める方向に回転操作すると、操作ナット１８は固定フードから離れる方向に螺進するとともに、フード部１５Ａ（円筒部１５ｂ）は回転することなく、係止突起１５ｆ，１８ｆの係合関係によって固定フードから離反する方向に向けて移動される。すなわち、載置面１２に載置されたリール脚７１は、一対のフード部（固定フード１３Ａ、移動フード１５Ａ）から取り外すことが可能となる。
【００２６】
上記した移動フード１５のフード部１５Ａは、一定の強度が維持されて軽量化が図れるように、繊維強化樹脂材、具体的には、仕様が異なる複数のプリプレグシートを筒状となるように積層することで成形されている。この場合、プリプレグシートは、炭素繊維、ガラス繊維、アラミド繊維などの強化繊維が所定の方向に引き揃えられた状態、或いは編成されたシート状に構成されており、熱可塑性樹脂（例えば、ナイロン、ポリプロピレン、ポリフェニルサルファイド、熱可塑ポリウレタン）や熱硬化性樹脂（例えば、エポキシ樹脂、フェノール樹脂、ポリエステル樹脂）をマトリックス樹脂として含浸した構成となっている。
以下、フード部１５Ａの構成について詳細に説明する。
【００２７】
フード部１５Ａには、とりわけ仕掛けを投擲する際や釣竿を操作している際にねじれ力が作用し易い。すなわち、膨出部１５ａの開口側、特に開口１５ｃの端縁領域の付近においては、強化繊維が単に軸長方向（元竿杆３の軸長方向）のみに引き揃えられた状態になっていると、ねじれ強度が弱くなり、仕掛け投擲時や釣竿操作時のねじれによってフード部１５Ａに剪断力が作用して、亀裂や破損を引き起こす傾向となる。このため、後述するように、フード部１５Ａの膨出部１５ａの領域においては、特にねじれ負荷に対抗するように、軸方向の強化繊維の指向性に一定の変動部を設けている。
【００２８】
図５は、上記したようなフード部１５Ａに作用するねじれ負荷を考慮したプリプレグシート３０と、それが巻回されるマンドレル８０とを示す図である。
フード部１５Ａは、所定形状に形成されたマンドレル８０に、仕様が異なる複数のプリプレグシート（図５には、簡単のため、プリプレグシート３０のみが示される）を巻回し、これを加熱して合成樹脂を硬化した後、マンドレル８０を脱芯することで成形される。
【００２９】
マンドレル８０の表面には、フード部１５Ａの形状と対応して膨出部８０ａと円柱部８０ｂが形成されている。すなわち、円柱部８０ｂは断面が円形状であり、フード部１５Ａの円筒部１５ｂを形成する部分となる。また、膨出部８０ａは、円柱部８０ｂの端部８０ｃの周方向の一部（挿入されるリール脚７１に対応する所定の円弧範囲）を前方に向けて次第に上昇するように傾斜させており（傾斜端部８０ｄはフード部１５Ａの膨出部１５ａの開口１５ｃに対応する）、フード部１５Ａの膨出部１５ａを形成する部分となる。
【００３０】
本実施形態では、マンドレル８０に対し、以下のように、フード部１５Ａの軸長方向全体に亘って配設されるプリプレグシート３０を含む１つ以上のプリプレグシートを巻回することでフード部１５Ａが成形される。
【００３１】
フード部１５Ａの内層側は、強化繊維が例えば周方向（あるいは、軸方向に対して９０°未満の角度を成す斜め方向でもよい）に引き揃えられた図示しないプリプレグシートを軸方向に亘って巻回することで例えば周方向繊維層（斜方向繊維層、例えば織布状の繊維層でもよい）が少なくとも配設される。そして、このように巻回されるプリプレグシートの外層側には、強化繊維３０Ａが軸長方向に途切れることなく連続して引き揃えられたプリプレグシート３０が巻回されることで軸長方向繊維層が配設される。
【００３２】
ここで、軸長方向繊維層を形成するプリプレグシート３０の後端縁３０ｂおよび前端縁３０ａは、内層側の前記プリプレグシートの後端縁および前端縁と一致するように位置合わせされてマンドレル８０に巻回される。具体的には、後端縁３０ｂをマンドレル８０の円柱部８０ｂの部分に位置合わせし、前端縁３０ａをマンドレル８０の膨出部８０ａの傾斜端部８０ｄに位置合わせして巻回される。この結果、軸長方向指向する強化繊維３０Ａは、軸長方向に亘って切れることなく配設される。
【００３３】
なお、プリプレグシート３０の前端縁３０ａについては、マンドレル８０の傾斜端部８０ｄよりも多少先側に巻回しておき、熱硬化した後、カットしても良い。また、プリプレグシート３０は、円柱部８０ｂの周長よりも膨出部８０ａの周長が長いことを考慮し、後端縁３０ｂがマンドレル８０に対して例えば１プライ、前端縁３０ａがマンドレル８０に対して１プライ以上されるように、一方の側端側に傾斜縁部３０ｃを有する。
【００３４】
このようにして、プリプレグシート３０をマンドレル８０に巻回すると、膨出部８０ａでは、プリプレグシート３０を構成する樹脂の広がりによって強化繊維３０Ａが曲がり、図６に示されるように、フード部１５Ａの膨出部１５ａに対応する所定の部位、一般的にはマンドレル８０の円柱部８０ｂの端部８０ｃから傾斜端部８０ｄへと向かう所定の長さ領域に対応する膨出部１５ａの部位に、軸方向に指向する強化繊維３０Ａが軸方向Ｘに対して傾く領域４０が形成される。なお、図６には、筒状に巻回されてフード部１５Ａを構成したプリプレグシート３０が参照符号３０’で示されており、図６の（ａ）は、筒状に巻回されてフード部を構成した図５（ｂ）のプリプレグシートの側面図、図６（ｂ）は、図６（ａ）のプリプレグシートの平面図である。
【００３５】
領域４０での強化繊維３０Ａの軸方向Ｘに対する傾き角度θは５°以上であることが好ましい。また、この角度θは、この領域４０の全体にわたって一定の角度であってもよいが、フード部１５Ａの開口１５ｃへ移行するにつれて次第に増大するようになっていてもよい。また、領域４０は、フード部１５Ａの膨出部１５ａの任意の部位に連続的（例えば、フード部１５Ａの開口１５ｃまで連続的に）に或いは断続的に設けることもできるが、ねじれ方向の強度を効果的に且つ効率的に確保するために、領域４０は、後述するようにフード部１５Ａの左右両側に対称的に設けられることが好ましい（図６（ｂ）には対称軸Ｌが示される）。特に、大きなねじれが発生しやすいフード部１５Ａの開口１５ｃ付近に領域４０を設けると、この部分でねじれを確実且つ効果的に抑制でき有益である。
【００３６】
領域４０をフード部１５Ａに左右対称に設ける製造方法が一例として図７および図８に示される。なお、この製造方法は、領域４０を特に簡単に形成するための一例にすぎず、領域４０は様々な方法で形成できる。
【００３７】
この製造方法では、対称軸Ｌを中心に左右対称の形状を成す（軸方向に指向する強化繊維５０Ａが左右対称に配設された）変形例に係る図８（ａ）に示されるプリプレグシート５０が使用され、図７に示されるように、プリプレグシート５０の左右対称軸線Ｌ上にマンドレル８０を位置させてプリプレグシート５０を左右両側からマンドレル８０の外周に巻き付ける。これにより、前述したように、膨出部８０ａでのプリプレグシート３０の樹脂の広がりによって強化繊維３０Ａがマンドレル８０の膨出部８０ａで曲がり、軸方向に指向する強化繊維５０Ａが軸方向に対して傾く領域４０（図６参照）がフード部１５Ａに左右対称に形成される。
【００３８】
なお、マンドレル８０に対するプリプレグシート５０の巻回に際しては、前述したように、プリプレグシート５０の後端縁５０ｂをマンドレル８０の円柱部８０ｂの部分に位置合わせし、前端縁５０ａをマンドレル８０の膨出部８０ａの傾斜端部８０ｄに位置合わせして巻回される。この結果、軸長方向指向する強化繊維５０Ａは、軸長方向に亘って切れることなく配設される。また、プリプレグシート５０は、円柱部８０ｂの周長よりも膨出部８０ａの周長が長いことを考慮し、後端縁５０ｂがマンドレル８０に対して例えば１プライ、前端縁５０ａがマンドレル８０に対して１プライ以上されるように、左右の側端部に傾斜縁部５０ｃ，５０ｄを有する。
【００３９】
また、この製造方法では（無論、図５に示されるプリプレグシート巻回形態においても）、フード部１５Ａの前側に補強層が設けられてもよい。具体的には、プリプレグシート５０の前方側（膨出部１５ａ側）の内層側または外層側に、軸方向に対して±９０°未満の角度を成して斜め方向に指向した強化繊維６０Ａ，６０Ｂを織布状に編成して成る補強用のプリプレグシート６０が巻回される。このプリプレグシート６０は、後端縁６０ｂがマンドレル８０の円柱部８０ｂの中間部に位置合わせされ、前端縁６０ａがプリプレグシート５０の前端縁５０ａと一致するように位置合わせされて巻回される。
【００４０】
以上のように、前述した構成によれば、プリプレグシートを積層して筒状のフード部１５Ａを成形するため、軽量化が図れるようになる。また、フード部１５Ａは、そのほぼ全長にわたって少なくとも軸方向に指向する強化繊維が途切れることなく連続して延びるため、強度低下や破損等が生じることを回避できる。更に、フード部１５Ａは、軸方向に指向する強化繊維が軸方向に対して傾く領域４０を膨出部１５ａに有するため、この領域４０では、繊維の傾きに起因して捩じれ方向に対して高い強度を確保できる。このように、軸方向に指向する強化繊維を伴う同じプリプレグシートに軸方向に指向する強化繊維が軸方向に対して傾く（連続する軸長方向繊維を必要な部位で傾ける）領域４０を設ければ、フード部全体として無駄なプリプレグシートを配設することなく効率的な補強を実現でき、結果として、フード部全体の薄肉厚化及び軽量化が可能となる。
【００４１】
以上、本発明の実施形態について説明したが、本発明は、上記した構成に限定されることはなく、種々変形することが可能である。例えば、前述した実施形態では、マンドレル８０の膨出部８０ａの形状を利用したプリプレグシートの強化繊維のマンドレル巻回時の変形によって領域４０を形成するようにしているが、領域４０の形成方法は任意である。要は、軸方向に指向する強化繊維を伴う同じプリプレグシートに軸方向に指向する強化繊維が軸方向に対して傾く（連続する軸長方向繊維を必要な部位で傾ける）領域４０が膨出部１５ａで設けられればよい。
【符号の説明】
【００４２】
１０  リール脚固定装置
１３Ａ，１５Ａ  フード部
１５ａ  膨出部
１５ｂ  円筒部
１５ｃ  開口
３０，５０  プリプレグシート
４０  領域
７０  魚釣用リール
７１  リール脚
８０  マンドレル
【図１】
2015188443.tif 000003
【図２】
2015188443.tif 000004
【図３】
2015188443.tif 000005
【図４】
2015188443.tif 000006
【図５】
2015188443.tif 000007
【図６】
2015188443.tif 000008
【図７】
2015188443.tif 000009
【図８】
2015188443.tif 000010